(57)【要約】【課題】本発明のＬＥＤ表示ケースは、ＬＥＤ表示ケースに対応して基板上に載置されたＬＥＤの配置間隔を小さくすることができ、文字サイズが小さく繊細な表示を行うころができる。【解決手段】基板上に載置されたＬＥＤの上方に配設されるＬＥＤ表示ケース本体と、前記ＬＥＤ表示ケース本体に貫通して形成され、前記基板上に載置されたＬＥＤが発する光を導く貫通孔と、を備える。前記ＬＥＤ表示ケースの前記貫通孔の周縁部は、略中間部の隙間幅が最小となる略つつみ形状に形成されている。【選択図】図４
2018097096.tif 000002
【特許請求の範囲】
【請求項１】
基板上に載置されたＬＥＤの上方に配設されるＬＥＤ表示ケース本体と、
前記ＬＥＤ表示ケース本体の上面から下面にかけて貫通して形成され、前記基板上に載置されたＬＥＤが発する光を導く貫通孔と、を備え、
前記ＬＥＤ表示ケースは、前記貫通孔の隙間幅が前記ＬＥＤ表示ケース上面に向けて漸次拡大するとともに、前記ＬＥＤ表示ケース下面に向けても漸次拡大する略つつみ形状で形成されることを特徴とするＬＥＤ表示ケース。
【発明の詳細な説明】
【技術分野】
【０００１】
本開示は、ＬＥＤ表示ケースの形状に関する。
【背景技術】
【０００２】
特許文献１は、基板挿入型のＬＥＤ表示装置を開示する。このＬＥＤ表示装置は、基板と、基板上に載置される複数個のＬＥＤと、基板上に配置される７つの表示セグメントを有するＬＥＤ表示ケースと、から構成される。ＬＥＤ表示ケースには、下面から上面にかけてＬＥＤの光を導く開口部が各ＬＥＤの載置位置に対応して複数箇所に形成されている。
【０００３】
ＬＥＤ表示ケースを基板上に複数個横に並べ、各ＬＥＤを点灯させることにより、所望の表示をすることができる。
【先行技術文献】
【特許文献】
【０００４】
【特許文献１】特開平９−８１０５４号公報
【発明の概要】
【発明が解決しようとする課題】
【０００５】
上記従来のＬＥＤ表示ケースの開口部は、射出成型の抜き勾配により、ＬＥＤ表示ケースの下面から上面に向けてテーパ形状に漸次拡大するよう形成されている。ここで、基板上に載置される各ＬＥＤの配置間隔は、ＬＥＤ表示ケースの開口部の傾斜幅に制約される。そのため、従来構成のＬＥＤ表示ケースでは、文字表示サイズを十分に小さくできないという課題があった。特に、近年の電気機器の小型化にともないＬＥＤ表示ケースの文字サイズを小さくすることが求められている。
【０００６】
本発明は、前記従来の課題を解決するもので、基板上に載置されたＬＥＤの配置間隔を小さくすることができ、文字サイズを小さくできるＬＥＤ表示ケースを提供する。
【課題を解決するための手段】
【０００７】
本発明におけるＬＥＤ表示ケースは、基板上に載置されたＬＥＤの上方に配設されるＬＥＤ表示ケース本体と、前記ＬＥＤ表示ケース本体の上面から下面にかけて貫通して形成され、前記基板上に載置されたＬＥＤが発する光を導く貫通孔と、を備え、前記ＬＥＤ表示ケースは、前記貫通孔の隙間幅が前記ＬＥＤ表示ケース上面に向けて漸次拡大するとともに、前記ＬＥＤ表示ケース下面に向けても漸次拡大する略つつみ形状で形成される構成とすることにより、ＬＥＤ表示ケースの貫通孔周縁部の抜き勾配による傾斜幅を狭くできるので、基板上に載置されたＬＥＤの配置間隔を小さくすることができ、文字サイズを小さくできる。
【発明の効果】
【０００８】
本発明におけるＬＥＤ表示ケースは、ＬＥＤ表示ケースの貫通孔に対応して配置される基板上のＬＥＤの配置間隔を小さくすることができるため、文字サイズを小さくすることができる。
【図面の簡単な説明】
【０００９】
【図１】本発明の実施の形態１におけるＬＥＤ表示ケースを搭載した洗濯機の縦断面図
【図２】本発明の実施の形態１におけるＬＥＤ表示ケースの平面図
【図３】（ａ）本発明の実施の形態１における洗濯機の操作表示基板及びＬＥＤ表示ケースの分解斜視図、（ｂ）本発明の実施の形態１における洗濯機の操作表示基板とＬＥＤ表示ケースが取り付けられた状態の斜視図
【図４】図２のＬＥＤ表示ケースのＡ−Ａ断面図
【図５】（ａ）本発明の実施の形態１におけるＬＥＤ表示ケースの貫通孔周辺箇所における縦断面図、（ｂ）比較例１のＬＥＤ表示ケースの貫通孔周辺箇所における縦断面図
【図６】（ａ）本発明の実施の形態１におけるＬＥＤ表示ケースの貫通孔周辺箇所における縦断面図、（ｂ）比較例２のＬＥＤ表示ケースの貫通孔周辺箇所における縦断面図
【発明を実施するための形態】
【００１０】
第１の発明にかかるＬＥＤ表示ケースは、基板上に載置されたＬＥＤの上方に配設されるＬＥＤ表示ケース本体と、前記ＬＥＤ表示ケース本体の上面から下面にかけて貫通して形成され、前記基板上に載置されたＬＥＤが発する光を導く貫通孔と、を備え、前記ＬＥＤ表示ケースは、前記貫通孔の隙間幅が前記ＬＥＤ表示ケース上面に向けて漸次拡大するとともに、前記ＬＥＤ表示ケース下面に向けても漸次拡大する略つつみ形状で形成される構成とすることにより、ＬＥＤ表示ケースの貫通孔周縁部の抜き勾配による傾斜幅を狭くできるので、基板上に載置されたＬＥＤの配置間隔を小さくすることができ、文字サイズを小さくできる。
【００１１】
以下、適宜図面を参照しながら、本発明の実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分理解するために提供されているのであって、これらにより、特許請求の範囲に記載の主題を限定することは意図されていない。
【００１３】
（実施の形態１）
以下、図１〜６を用いて、実施の形態１を説明する。
【００１４】
本実施の形態では、洗濯機に関するＬＥＤ表示ケースを説明する。
【００１５】
［１−１．構成］
［１−１−１．洗濯機の構成］
図１は、実施の形態１におけるＬＥＤ表示ケースを搭載した洗濯機の縦断面図である。
【００１６】
図１において、洗濯機本体１１は、内部に水槽１３をサスペンション１２により懸垂防振支持している。水槽１３の内部には、洗濯槽と脱水槽を兼ねた洗濯兼脱水槽１５を回転可能に設けられている。洗濯兼脱水槽１５は、底部にパルセータ１６を回転自在に配設されている。
【００１７】
水槽１３の外底部には、伝達機構部２０が配設されている。伝達機構部２０は、内部に洗濯時の減速ギア（図示せず）、洗濯・脱水軸の切り換えクラッチ（図示せず）、及び洗濯兼脱水槽を停止するためのブレーキ（図示せず）を内蔵している。
【００１８】
水槽の外底部にはモータ２１が取り付けられており、モータ２１にはモータ側プーリ２２が取り付けられている。洗濯・脱水軸にはメカ側プーリ２３が連結しており、モータ側プーリ２２とメカ側プーリ２３は、ベルト２４により互いに連結している。上記構成によ
り、モータ２１の動力は、ベルト２４を介して洗濯・脱水軸１４に伝達する。また、切り替えクラッチを制御することで、モータ２１を用いて、パルセータ１６のみを回転させる状態と、パルセータ１６及び洗濯兼脱水槽１５を同時に回転させる状態とを実現することができる。
【００１９】
洗濯機本体１１の内部には、モータ２１等を制御し、洗い、すすぎ、脱水の一連の工程を逐次制御する制御手段（図示せず）を有する制御装置（図示せず）を配している。
【００２０】
洗濯機本体１１の上部には、上部枠体２５を配している。上部枠体２５の略中央部には、洗濯兼脱水槽１５と外部とを連通するための洗濯物投入取出口２６を形成し、洗濯物投入取出口２６は扉体２７にて開閉自在に覆われている。上部枠体２５の後方側には、各種の入力設定を行ない、設定内容を表示する操作表示部２９を配設している。操作表示部２９には、運転時間等を表示する７セグメント表示のＬＥＤ表示ケースが配設されている。
【００２１】
［１−１−２．ＬＥＤ表示ケースの構成］
図２は、本実施の形態におけるＬＥＤ表示ケースの平面図、図３（ａ）は、本実施の形態における洗濯機の操作表示基板及びＬＥＤ表示ケースの分解斜視図、図３（ｂ）は、同洗濯機の操作表示基板とＬＥＤ表示ケースが取り付けられた状態の斜視図である。
【００２２】
図２に示すように、ＬＥＤ表示ケース３１は、合成樹脂等で構成され、７つの表示セグメントにより２桁の数字を表示できる。後述するが、ＬＥＤ表示ケース３１の各表示セグメントに対応する位置には、下面から上面にかけて貫通孔３３が形成されている。なお、本発明におけるＬＥＤ表示ケースは、１桁の数字で表現されてもよいし、３桁以上の数字表現されてもよい。
【００２３】
図３（ａ）、図３（ｂ）に示すように、操作表示基板２９ａ上には複数のＬＥＤチップ３０が実装されている。また、操作表示基板２９ａには係止部２９ｂが形成されている。ＬＥＤ表示ケース３１には爪部３１ｃが形成されており、爪部３１ｃと係止部２９ｂによりＬＥＤ表示ケース３１と操作表示基板２９ａとを着脱可能に係合固定できる。
【００２４】
図４は、図２のＬＥＤ表示ケースのＡ−Ａ断面図である。
【００２５】
図４に示すように、ＬＥＤ表示ケース３１には、下面から上面にかけて貫通する貫通孔３３が、ＬＥＤチップ３０の配置位置に対応して複数箇所に形成されている。このため、ＬＥＤチップ３０が点灯すると、ＬＥＤチップ３０の光が貫通孔３３を通り所望の形状に形成された上面開口部３１ａから発光することで、操作表示部２９の表示パネル上に所望の表示がなされる。
【００２６】
本実施の形態のＬＥＤ表示ケース３１は、貫通孔３３の幅Ｗが、窪み部３１ｄが最も狭く、窪み部３１ｄから上面開口部３１ａ及び下面開口部３１ｂに向けて貫通孔３３の幅Ｗが広くなるよう傾斜する略つつみ形状で形成されている。
【００２７】
［１−２．従来構成との比較］
以下に、本実施の形態のＬＥＤ表示ケースと従来構成のＬＥＤ表示ケースとを比較して、本実施の形態のＬＥＤ表示ケースの作用、効果を説明する。
【００２８】
［１−２−１．比較例１のＬＥＤ表示ケースとの比較］
図５（ａ）は、本実施の形態のＬＥＤ表示ケースの貫通孔周辺箇所における縦断面図、図５（ｂ）は、比較例１のＬＥＤ表示ケースの貫通孔周辺箇所における縦断面図である。
【００２９】
図５（ａ）に示すように、本実施の形態のＬＥＤ表示ケース１３１ａは、窪み部１３６ａから上面開口部１３４ａ及び下面開口部１３５ａに向けて貫通孔１３３ａの幅が漸次拡大するように傾斜している。図５（ｂ）に示す比較例１のＬＥＤ表示ケース１３１ｂは、貫通孔１３３ｂが上面開口部１３４ｂから下面開口部１３５ｂに向けて漸次拡大するよう形成されている。
【００３０】
本実施の形態のＬＥＤ表示ケース１３１ａと比較例１におけるＬＥＤ表示ケースは、高さＨ、上面の開口幅Ｌ、抜き勾配による水平面からの傾斜角度αが同一になるよう設計されている。
【００３１】
操作表示基板１２９ａ上に実装されるＬＥＤチップ１３０ａは、貫通孔１３３ａの中心位置に配置されている。ここで、図５に示すように、操作表示基板１２９ａ上へのＬＥＤチップ１３０ａの配置間隔は、隙間幅Ｗｍａｘにより制約される。
【００３２】
図５（ａ）に示すＬＥＤ表示ケース１３１ａの貫通孔１３３ａの最大幅Ｗｍａｘ１は、数式１のようになる。
【００３３】
【数１】
2018097096.tif 000003
また、図５（ｂ）に示す比較例１の貫通孔１３３ｂの最大幅Ｗｍａｘ２は、数式２のようになる。
【００３４】
【数２】
2018097096.tif 000004
このため、Ｗｍａｘ１とＷｍａｘ２の関係式は、数式３のようになる。
【００３５】
【数３】
2018097096.tif 000005
上記より、Ｗｍａｘ１＜Ｗｍａｘ２となるので、本実施の形態のＬＥＤ表示ケース１３１ａの方が、比較例１のＬＥＤ表示ケース１３１ｂよりもＬＥＤチップの配置間隔を狭くすることができる。よって、本実施の形態のＬＥＤ表示ケース１３１ａは、表示セグメント間の距離を狭くできるため、文字表示サイズを小さくできたり、より繊細な表示を行うことが可能になる。
【００３６】
［１−２−２．比較例２のＬＥＤ表示ケースとの比較］
図６（ａ）は、本実施の形態におけるＬＥＤ表示ケースの貫通孔周辺箇所における縦断面図、図６（ｂ）は、比較例２のＬＥＤ表示ケースの貫通孔周辺箇所における縦断面図である。
【００３７】
本実施の形態のＬＥＤ表示ケース２３１ａと比較例２におけるＬＥＤ表示ケース２３１ｂとは、高さＨ、上面の開口幅Ｌ、抜き勾配による水平面からの傾斜角度αが同一になるよう設計されている。
【００３８】
ここで、ＬＥＤ表示ケース２３１ｂを操作表示基板２２９ｂ上に配設する際、誤ってＬ
ＥＤチップ２３０ｂの上方に操作表示基板２２９ｂを配設した場合には、ＬＥＤチップ２３０ｂの光はＬＥＤ表示ケース２３１ｂにより遮られてしまう。また、ＬＥＤ表示ケース２３１ｂと操作表示基板２２９ｂは近接しているため、誤ってＬＥＤチップ２３０ｂの上方に操作表示基板２２９ｂを配設すると、ＬＥＤチップ２３０ｂと操作表示基板２２９ｂが当接してＬＥＤチップ２３０ｂの故障の原因となる虞もある。
【００３９】
このため、ＬＥＤ表示ケース２３１ｂを操作表示基板２９ｂ上に配設する際には、貫通孔２３３ｂの幅が最小になる範囲内に、ＬＥＤチップ２３０ｂが位置する必要がある。
【００４０】
図６（ａ）に示すように、ＬＥＤ表示ケース２３１ａの貫通孔２３３ａの最小幅Ｗｍｉｎ１は、数式４のようになる。
【００４１】
【数４】
2018097096.tif 000006
また、図６（ｂ）に示す比較例２の貫通孔２３３ｂの最小幅Ｗｍｉｎ２は、数式５のようになる。
【００４２】
【数５】
2018097096.tif 000007
よって、Ｗｍｉｎ１とＷｍｉｎ２との関係式は、数式６のようになる。
【００４３】
【数６】
2018097096.tif 000008
Ｈ＞ｈなので、ＬＥＤ表示ケース２３１ａの方がＬＥＤ表示ケース２３１ｂよりも貫通孔の最小幅が広くなる。このため、操作表示樹板上にＬＥＤチップやＬＥＤ表示ケースを配設する際、本実施の形態のＬＥＤ表示ケース２３１ａの方が、配置位置に余裕ができる。したがって、ＬＥＤ表示ケース２３１ｂよりもＬＥＤ表示ケース２３１ａの方が、操作表示基板２３０ａ上に簡便に配設することができる。
【００４４】
本実施の形態では、ＬＥＤ表示ケース３１の一例として、７セグメントＬＥＤを説明したが、本発明はこれに限定されず、８セグメントＬＥＤやＬＥＤ電光掲示板、ＬＥＤ電光看板、案内、誘導などの各種ＬＥＤ表示盤など、ＬＥＤを用いた各種表示器であってもよい。
【００４５】
本実施の形態では、窪み部３１ｄがＬＥＤ表示ケース３１の上方に位置する構成で説明したが、本発明はこの構成に限定されることはない。貫通孔３３が上面開口部３１ａに向けて漸次拡大するとともに、下面開口部３１ｂに向けても漸次拡大するよう形成されていれば、窪み部３１ｄはＬＥＤ表示ケース３１の略中間部に形成されていてもよいし、ＬＥＤ表示ケース３１の下方に形成されていてもよい。ここで、図５（ａ）において、Ｗｍａｘ１は、数式１となるので、窪み部３１ｄがＬＥＤ表示ケース３１の下方に位置する程、Ｗｍａｘ１が小さくできるためＬＥＤチップの配置間隔を狭くできる。
【００４６】
本実施の形態では、ＬＥＤ表示部は洗濯機表示部に取り付ける構成を説明したが、本発明はこの構成に限定されることはなく、例えば、炊飯器や電子レンジ、エアコン、冷蔵庫
などに取り付ける構成でもよい。
【産業上の利用可能性】
【００４７】
本開示のＬＥＤ表示ケース、ＬＥＤから発する光を拡散させて所定の文字を表示する製品に適用可能である。具体的には、洗濯機や炊飯器などに、本開示は適用可能である。
【符号の説明】
【００４８】
１１  洗濯機本体
１２  サスペンション
１３  水槽
１４  洗濯・脱水軸
１５  洗濯兼脱水槽
１６  パルセータ
２０  伝達機構部
２１  モータ
２２  モータ側プーリ
２３  メカ側プーリ
２４  ベルト
２５  上部枠体
２６  洗濯物投入取出口
２７  扉体
２９  操作表示部
２９ａ  操作表示基板
２９ｂ  係止部
３０  ＬＥＤチップ
３１  ＬＥＤ表示ケース
３１ａ  上面開口部
３１ｂ  下面開口部
３１ｃ  爪部
３１ｄ  窪み部
３３  貫通孔
【図１】
2018097096.tif 000009
【図２】
2018097096.tif 000010
【図３】
2018097096.tif 000011
【図４】
2018097096.tif 000012
【図５】
2018097096.tif 000013
【図６】
2018097096.tif 000014